(57)【要約】【課題】ヒートキャリアの加熱効率を維持し、もって生成ガスの品質の安定化を図る。【解決手段】上記課題は、予熱器２で加熱したヒートキャリアを、熱風炉１、改質器３、熱分解器４を通して循環させつつ、熱分解器４に木質バイオマス原料を供給し、且つ改質器３に水蒸気を供給することにより、所定温度での熱分解及び水蒸気改質を行うとともに、熱分解器４で発生するチャー及びヒートキャリアの混合物を熱風炉１で燃焼し、その熱風を予熱器２に供給するとすることにより解決できる。【選択図】図１
2011144330.tif 000002
【特許請求の範囲】
【請求項１】
熱を運ぶための多数のヒートキャリアと、このヒートキャリアを加熱するための予熱器と、熱分解ガスの水蒸気改質を行うための改質器と、木質バイオマス原料を熱分解するための熱分解器と、チャーを燃焼して熱風を生成する熱風炉と、前記ヒートキャリアの通過経路から灰・ダストを抜き出すための灰・ダスト抜出手段とを備え、
前記ヒートキャリアを、前記予熱器、熱風炉、改質器、及び熱分解器の順に通した後、移送装置により再び予熱器に戻して循環させるとともに、前記熱分解器内に木質バイオマス原料を供給し、前記改質器内に対して直接又は間接的に水蒸気を供給し、
前記熱分解器内では、前記木質バイオマス原料を、加熱されたヒートキャリアと接触させることによりチャーと熱分解ガスとに熱分解し、この熱分解により得られたチャーとヒートキャリアとの混合物は混合状態のまま前記移送装置により前記予熱器へ供給し、熱分解ガスはヒートキャリアに対して向流接触しながら改質器へ供給し、
前記改質器では、前記熱分解ガスを前記ヒートキャリアにより加熱しつつ前記水蒸気と接触させることにより水素含有濃度を向上させたガスを生成し、
前記予熱器では、前記移送装置から供給される前記混合物を堆積状態で通過させて前記熱風炉に供給するとともに、その通過過程で前記混合物内に前記熱風炉から供給される熱風を通して、前記混合物中のヒートキャリアとの直接接触によりヒートキャリアを加熱し、
前記熱風炉では、前記予熱器から供給される前記混合物中のチャーを燃焼させ、この燃焼により生成する熱風を前記予熱器に供給する、
ように構成した、ことを特徴とする木質バイオマスのガス化システム。
【請求項２】
予熱器が上部となり熱風炉が下部となるように、予熱器と熱風炉とが一体化されており、
前記予熱器内から前記熱風炉内まで上下方向に沿って延在するヒートキャリア通路を有しており、
前記熱風炉内のヒートキャリア通路に臨むようにバーナーが設けられており、
前記熱風炉で生成する熱風が、前記熱風炉内から前記ヒートキャリア通路を介して前記予熱器に供給されるように構成されている、
請求項１記載の木質バイオマスのガス化システム。
【請求項３】
前記予熱器、熱風炉及び改質器の少なくとも一つは、
上下方向に沿って延在するヒートキャリア通路と、
このヒートキャリア通路の内周面に周方向に間隔をあけて複数設けられた、灰・ダストは通過するがヒートキャリアは通過しない灰・ダスト取り込み口と、
前記ヒートキャリア通路の周囲を取り囲むように設けられた、前記灰・ダスト取り込み口に連通する環状の灰・ダスト落としスペースと、
この灰・ダスト落としスペースから外部に連通する、灰・ダストの抜出口と、
を有するものである、
請求項２記載の木質バイオマスのガス化システム。
【請求項４】
前記灰・ダスト落としスペースと連通する圧縮空気吹き込み口を設けた、請求項３記載の木質バイオマスのガス化システム。
【請求項５】
熱を運ぶための多数のヒートキャリアと、このヒートキャリアを加熱するための予熱器と、熱分解ガスの水蒸気改質を行うための改質器と、木質バイオマス原料を熱分解するための熱分解器と、チャーを燃焼して熱風を生成する熱風炉と、前記ヒートキャリアの通過経路から灰・ダストを抜き出すための灰・ダスト抜出手段とを備え、
前記ヒートキャリアを、熱風炉、前記予熱器、改質器、及び熱分解器の順に通した後、移送装置により再び熱風炉に戻して循環させるとともに、前記熱分解器内に木質バイオマス原料を供給し、前記改質器内に対して直接又は間接的に水蒸気を供給し、
前記熱分解器内では、前記木質バイオマス原料を、加熱されたヒートキャリアと接触させることによりチャーと熱分解ガスとに熱分解し、この熱分解により得られたチャーとヒートキャリアとの混合物は混合状態のまま前記移送装置により前記熱風炉へ供給し、熱分解ガスはヒートキャリアに対して向流接触しながら改質器へ供給し、
前記改質器では、前記熱分解ガスを前記ヒートキャリアにより加熱しつつ前記水蒸気と接触させることにより水素含有濃度を向上させたガスを生成し、
前記熱風炉では、前記移送装置から供給される前記混合物中のチャーを燃焼させ、この燃焼により生成する熱風を前記予熱器に供給するとともに、前記混合物中のヒートキャリアを前記予熱器に供給し、
前記予熱器では、前記熱風炉から供給される前記ヒートキャリアを堆積状態で通過させるとともに、その通過過程で前記ヒートキャリア間に前記熱風炉から供給される熱風を通して、前記ヒートキャリアとの直接接触によりヒートキャリアを加熱する、
ように構成した、ことを特徴とする木質バイオマスのガス化システム。
【請求項６】
熱を運ぶための多数のヒートキャリアを、ヒートキャリアを加熱するための予熱器、チャーを燃焼して熱風を生成する熱風炉、熱分解ガスの水蒸気改質を行うための改質器、及び木質バイオマス原料を熱分解するための熱分解器の順に通した後、移送装置により再び予熱器に戻して循環させるとともに、
前記熱分解器内に木質バイオマス原料を供給し、且つ前記改質器内に対して直接又は間接的に水蒸気を供給し、
前記熱分解器内では、前記木質バイオマス原料を、加熱されたヒートキャリアと接触させることによりチャーと熱分解ガスとに熱分解し、この熱分解により得られたチャーとヒートキャリアとの混合物は混合状態のまま前記移送装置により前記予熱器へ供給し、熱分解ガスはヒートキャリアに対して向流接触しながら改質器へ供給し、
前記改質器では、前記熱分解ガスを前記ヒートキャリアにより加熱しつつ前記水蒸気と接触させることにより水素含有濃度を向上させたガスを生成し、
前記予熱器では、前記移送装置から供給される前記混合物を堆積状態で通過させて前記熱風炉に供給するとともに、その通過過程で前記混合物内に前記熱風炉から供給される熱風を通して、前記混合物中のヒートキャリアとの直接接触によりヒートキャリアを加熱し、
前記熱風炉では、前記予熱器から供給される前記混合物中のチャーを燃焼させ、この燃焼により生成する熱風を前記予熱器に供給する、
ことを特徴とする木質バイオマスのガス化方法。
【発明の詳細な説明】
【技術分野】
【０００１】
本発明は、木質バイオマスのガス化システム及びその方法に関するものである。
【背景技術】
【０００２】
近年、化石燃料の代替及び地球温暖化防止を目的とした新エネルギー供給システムとして、間伐材等の木質バイオマスをガス化し、このガスを燃料として熱や電気エネルギーを生成する技術が提案され、利用されている。
このようなガス化システムとしては、種々のものが提案されているが、中でも特許文献１記載のものは水素濃度の高いガスを生成できる点で優れたものの一つである。このガス化システムは、上から順に、予熱器、改質器、熱分解器、及び分離機を備えており、熱を運ぶための多数のヒートキャリア（熱担持媒体）が、予熱器で加熱されてから改質器、熱分解器及び分離機の順に通された後、バケットコンベア等の移送装置により再び予熱器に戻されるように構成されている。
木質バイオマス原料は、スクリューコンベア等の適宜の定量供給装置により、例えば改質器と熱分解器とを繋ぐ供給管路を介して、熱分解器の上部供給口へ連続的に定量供給される。熱分解器内に供給された木質バイオマスは、予熱器から改質器を経て供給された、加熱されたヒートキャリアと接触することにより、チャー（固体の炭素含有残留物）と熱分解ガス（揮発性相）とに分離される。固形分であるチャーは、ヒートキャリアとともに分離機へ供給され、気体である熱分解ガスはヒートキャリアに対して向流接触しながら改質器へ上昇供給される。
改質器には反応媒体としての水蒸気が供給されており、熱分解ガスがヒートキャリアにより加熱される条件下でこの水蒸気と混合接触することにより、水素含有濃度が高く、従って発熱量の高いガスが発生する。
【０００３】
一方、分離機では、熱分解器から供給される混合物がチャーとヒートキャリアとに分離される。分離されたチャーは熱風炉に供給され、ヒートキャリアは移送装置により予熱器に戻される。
熱風炉では、チャーの燃焼により熱風（高温排ガス）が生成される。この熱風は予熱器に供給され、予熱器内を堆積状態で通過するヒートキャリア間に通され、ヒートキャリアと直接接触することによりヒートキャリアが加熱される。また、熱風炉ではチャーの燃焼により灰が生成される。この灰は、大部分は熱風炉１内で回収・除去されるが、一部は予熱器に供給され、予熱器の排気経路に設けられたサイクロン等の分離手段で取り除かれる。
【０００４】
上述のガス化システムにおいては、予熱器におけるヒートキャリアの加熱効率は非常に重要である。すなわち、原料投入量に対して予熱器におけるヒートキャリアの加熱効率が低いと、改質器及び熱分解器の温度が次第に低下し、改質器における改質不足により、水素高含有ガスが得られるところが特徴のシステムであるにもかかわらず、生成ガスにおける水素ガス濃度が低下してしまう。さらに、熱分解温度が大幅に下がると生成ガスにタールが混じるようになり、熱分解器と改質器との間の経路等にタールが付着し、閉塞する等の問題を生じる。つまり、上述のガス化システムにおける安定稼働時の処理能力は予熱器におけるヒートキャリアの加熱効率により左右されるのである。なお、システム内の温度を維持するだけであれば、原料投入量の減少により補うことはできるが、システム全体としての処理能力が低下することに変わりはない。
【０００５】
上述のガス化システムにおける予熱器の一例を図９〜図１１に示した。この予熱器２００は、上下方向に沿う円筒状の上側ヒートキャリア通路２２０と、この上側ヒートキャリア通路２２０の下方に連続する漏斗状（逆さ裁頭円錐台状）の下側ヒートキャリア通路２２１とを有し、上側ヒートキャリア通路２２０上面の中央部に供給口２２０ｉ、下側ヒートキャリア通路２２１下端に排出口２２１ｘ、上側ヒートキャリア通路２２０の側面に排気口２２０ｘ及び下側ヒートキャリア通路２２１の側面に熱風吹き出し口２２２ｎをそれぞれ有しているものである。特徴的には、熱風吹き出し口２２２ｎが下側ヒートキャリア通路２２１の周方向に間隔をあけて複数設けられるとともに、これら熱風吹き出し口２２２ｎの全てに連通する環状の分配供給路２２３が下側ヒートキャリア通路２２１の周囲を取り囲むように設けられており、熱風炉からの熱風は、熱風供給口２２４から分配供給路を介して各熱風吹き出し口２２２ｎに供給されるようになっている。
【０００６】
運転時には、ヒートキャリアは供給口２２０ｉから落下供給され、ある程度の（例えば下側部分全体にわたる）堆積状態を維持しながら自重で下降し、上側ヒートキャリア通路２２０及び下側ヒートキャリア通路２２１を通過する過程で各熱風吹き出し口２２２ｎから、つまり周方向の複数個所から吹き出される熱風と接触して加熱された後、そのまま次段の改質器に定量供給される。このように、下側ヒートキャリア通路２２１を通るヒートキャリア群に対して、周方向の複数個所から熱風が供給されると、ヒートキャリアの通過数が下側ヒートキャリア通路２２１の径の減少に伴って減少することも相まって、熱風炉からの新鮮な熱風がより多くのヒートキャリアに対して直接又はそれに近い状態で接触されるため、ヒートキャリアの加熱効率に優れるようになる。
【先行技術文献】
【特許文献】
【０００７】
【特許文献１】特許４２６４５２５号公報
【発明の概要】
【発明が解決しようとする課題】
【０００８】
しかしながら、このような加熱効率に優れる構造の予熱器を使用した場合であっても、ある程度運転を継続していると、予熱器におけるヒートキャリアの加熱効率が低下することがあった。前述のとおり、予熱器における加熱効率の低下は、生成ガスにおける水素濃度の低下をもたらすものであり、生成ガスの品質を安定化するためには防止する必要がある。
そこで、本発明の主たる課題は、ヒートキャリアの加熱効率を維持し、もって生成ガスの品質の安定化を図ることにある。
【課題を解決するための手段】
【０００９】
本発明者らは上記課題を解決するために鋭意研究した結果、ヒートキャリアの加熱効率の低下は、予熱器における熱風吹き出し口及びこれに連通する分配供給路が灰やヒートキャリアで閉塞し（特に、分配供給路の底面が図２に示すように水平である場合にこの問題が顕著となる）、ヒートキャリアに対する熱風の供給が滞ることが原因であるとの知見を得た。
【００１０】
そこで、更に予熱器内の灰堆積について研究したところ、分離機におけるチャーの分離性能が影響していることが判明した。すなわち、木質バイオマス原料の寸法をある程度まで小さくすれば、原理的には、熱分解後のチャーの寸法はヒートキャリアより十分に小さくすることができ、分離機として、ヒートキャリアより小さいチャーのみを通すスクリーンを用いることにより、ヒートキャリアとチャーとを確実に分離できる。しかし、現実には、木質バイオマス原料の粒径を破砕等により揃えるとしても限界があり、ヒートキャリアより大きなチャーの発生を避けえず、この大きな塊状のチャーがヒートキャリアとともに予熱器に送られ、予熱器内で燃焼して灰が発生していたのである。しかも、このようにして発生した灰は、予熱器の排気に伴い排出されるよりも、予熱器内、改質器内等、ヒートキャリアの循環経路内に堆積し易い。
【００１１】
この問題点を解決する手法として、分離機の分離性能向上等により予熱器へのチャーの供給を防止することも考えられたが、チャーのような不定形なものが分離対象では分離性能の向上にも自ずと限界があること、分離機のコストが嵩むこと等の問題もある。以下に述べる本発明はこのような知見に基づいてなされたものである。
＜請求項１記載の発明＞
熱を運ぶための多数のヒートキャリアと、このヒートキャリアを加熱するための予熱器と、熱分解ガスの水蒸気改質を行うための改質器と、木質バイオマス原料を熱分解するための熱分解器と、チャーを燃焼して熱風を生成する熱風炉と、前記ヒートキャリアの通過経路から灰・ダストを抜き出すための灰・ダスト抜出手段とを備え、
前記ヒートキャリアを、前記予熱器、熱風炉、改質器、及び熱分解器の順に通した後、移送装置により再び予熱器に戻して循環させるとともに、前記熱分解器内に木質バイオマス原料を供給し、前記改質器内に対して直接又は間接的に水蒸気を供給し、
前記熱分解器内では、前記木質バイオマス原料を、加熱されたヒートキャリアと接触させることによりチャーと熱分解ガスとに熱分解し、この熱分解により得られたチャーとヒートキャリアとの混合物は混合状態のまま前記移送装置により前記予熱器へ供給し、熱分解ガスはヒートキャリアに対して向流接触しながら改質器へ供給し、
前記改質器では、前記熱分解ガスを前記ヒートキャリアにより加熱しつつ前記水蒸気と接触させることにより水素含有濃度を向上させたガスを生成し、
前記予熱器では、前記移送装置から供給される前記混合物を堆積状態で通過させて前記熱風炉に供給するとともに、その通過過程で前記混合物内に前記熱風炉から供給される熱風を通して、前記混合物中のヒートキャリアとの直接接触によりヒートキャリアを加熱し、
前記熱風炉では、前記予熱器から供給される前記混合物中のチャーを燃焼させ、この燃焼により生成する熱風を前記予熱器に供給する、
ように構成した、ことを特徴とする木質バイオマスのガス化システム。
【００１２】
（作用効果）
本発明は、分離機による分離を一切行わずに、チャーとヒートキャリアとの混合物を混合状態のまま予熱器に戻し、予熱器を通過させつつ加熱した後、熱風炉に供給し、この熱風炉で混合物中のチャーを燃焼させ、その熱風を予熱器へ供給して予熱器の熱源とするところに特徴を有するものである。分離機を用いないため、分離性能は問題とならず、またシステムの簡素化及びローコスト化を図ることができる上、ヒートキャリアをチャーとの混合状態で熱風炉内に通してチャーを燃焼させるため、ヒートキャリアの加熱効率に優れるようになる。よって、本発明によれば、ヒートキャリアの加熱効率の経時的低下を防止でき、生成ガスの水素濃度が低下するといった事態を防止できるようになる。
【００１３】
＜請求項２記載の発明＞
予熱器が上部となり熱風炉が下部となるように、予熱器と熱風炉とが一体化されており、
前記予熱器内から前記熱風炉内まで上下方向に沿って延在するヒートキャリア通路を有しており、
前記熱風炉内のヒートキャリア通路に臨むようにバーナーが設けられており、
前記熱風炉で生成する熱風が、前記熱風炉内から前記ヒートキャリア通路を介して前記予熱器に供給されるように構成されている、
請求項１記載の木質バイオマスのガス化システム。
【００１４】
（作用効果）
このように、予熱器と熱風炉とを一体化し、ヒートキャリア通路をヒートキャリアの通路としてだけ利用するのではなく、熱風炉から予熱器への熱風供給路としても用いることにより、熱風を新鮮なまま（つまり放熱少なく）ヒートキャリアに対して向流的に接触させることができ、極めて加熱効率に優れるようになる。
【００１５】
＜請求項３記載の発明＞
前記予熱器、熱風炉及び改質器の少なくとも一つは、
上下方向に沿って延在するヒートキャリア通路と、
このヒートキャリア通路の内周面に周方向に間隔をあけて複数設けられた、灰・ダストは通過するがヒートキャリアは通過しない灰・ダスト取り込み口と、
前記ヒートキャリア通路の周囲を取り囲むように設けられた、前記灰・ダスト取り込み口に連通する環状の灰・ダスト落としスペースと、
この灰・ダスト落としスペースから外部に連通する、灰・ダストの抜出口と、
を有するものである、
請求項２記載の木質バイオマスのガス化システム。
【００１６】
（作用効果）
灰はヒートキャリアに伴って予熱器、熱風炉、改質器、熱分解器の順に移動する過程で、予熱器内や、改質器内、改質器と熱分解器との間の経路（例えば、バルブ等）にも蓄積し、ヒートキャリアの循環阻害や、改質器と熱分解器との間の経路の閉塞による熱分解器内圧の異常上昇等の問題を発生させる。また、このような灰・ダストの堆積が進行すると、ヒートキャリア間に保持されることによりヒートキャリアに伴って移動する灰・ダストが増加し、ヒートキャリアの加熱効率が低下する。よって、上述のとおり予熱器、熱風炉及び改質器の少なくとも一つにおいて灰の除去を行うのは好ましい。これにより、改質器内や改質器と熱分解器との間の経路における灰の蓄積を効果的に防止できる。
【００１７】
＜請求項４記載の発明＞
前記灰・ダスト落としスペースと連通する圧縮空気吹き込み口を設けた、請求項３記載の木質バイオマスのガス化システム。
【００１８】
（作用効果）
抜出口からの灰・ダストの取り出しは、灰掻き等の機械的手段により行ってもよいが、灰・ダスト落としスペースと連通する圧縮空気吹き込み口を設け、ここから圧縮空気吹き込み、灰・ダストを圧縮空気に乗せて抜出口から排出するように構成すると、炉内温度に関係なく灰・ダストの抜出を実行でき、また自動的に定期実行することもできるため好ましい。
【００１９】
＜請求項５記載の発明＞
熱を運ぶための多数のヒートキャリアと、このヒートキャリアを加熱するための予熱器と、熱分解ガスの水蒸気改質を行うための改質器と、木質バイオマス原料を熱分解するための熱分解器と、チャーを燃焼して熱風を生成する熱風炉と、前記ヒートキャリアの通過経路から灰・ダストを抜き出すための灰・ダスト抜出手段とを備え、
前記ヒートキャリアを、熱風炉、前記予熱器、改質器、及び熱分解器の順に通した後、移送装置により再び熱風炉に戻して循環させるとともに、前記熱分解器内に木質バイオマス原料を供給し、前記改質器内に対して直接又は間接的に水蒸気を供給し、
前記熱分解器内では、前記木質バイオマス原料を、加熱されたヒートキャリアと接触させることによりチャーと熱分解ガスとに熱分解し、この熱分解により得られたチャーとヒートキャリアとの混合物は混合状態のまま前記移送装置により前記熱風炉へ供給し、熱分解ガスはヒートキャリアに対して向流接触しながら改質器へ供給し、
前記改質器では、前記熱分解ガスを前記ヒートキャリアにより加熱しつつ前記水蒸気と接触させることにより水素含有濃度を向上させたガスを生成し、
前記熱風炉では、前記移送装置から供給される前記混合物中のチャーを燃焼させ、この燃焼により生成する熱風を前記予熱器に供給するとともに、前記混合物中のヒートキャリアを前記予熱器に供給し、
前記予熱器では、前記熱風炉から供給される前記ヒートキャリアを堆積状態で通過させるとともに、その通過過程で前記ヒートキャリア間に前記熱風炉から供給される熱風を通して、前記ヒートキャリアとの直接接触によりヒートキャリアを加熱する、
ように構成した、ことを特徴とする木質バイオマスのガス化システム。
【００２０】
（作用効果）
熱風炉を予熱器の下流側ではなく上流側に設け、移送装置から供給されるチャートヒートキャリアとの混合物を、熱風炉に供給してチャーを燃焼させ、残りのヒートキャリアを予熱器に供給するように構成することも可能であり、この場合においても、請求項１記載の発明と同様の作用効果が奏せられる。
【００２１】
＜請求項６記載の発明＞
熱を運ぶための多数のヒートキャリアを、ヒートキャリアを加熱するための予熱器、チャーを燃焼して熱風を生成する熱風炉、熱分解ガスの水蒸気改質を行うための改質器、及び木質バイオマス原料を熱分解するための熱分解器の順に通した後、移送装置により再び予熱器に戻して循環させるとともに、
前記熱分解器内に木質バイオマス原料を供給し、且つ前記改質器内に対して直接又は間接的に水蒸気を供給し、
前記熱分解器内では、前記木質バイオマス原料を、加熱されたヒートキャリアと接触させることによりチャーと熱分解ガスとに熱分解し、この熱分解により得られたチャーとヒートキャリアとの混合物は混合状態のまま前記移送装置により前記予熱器へ供給し、熱分解ガスはヒートキャリアに対して向流接触しながら改質器へ供給し、
前記改質器では、前記熱分解ガスを前記ヒートキャリアにより加熱しつつ前記水蒸気と接触させることにより水素含有濃度を向上させたガスを生成し、
前記予熱器では、前記移送装置から供給される前記混合物を堆積状態で通過させて前記熱風炉に供給するとともに、その通過過程で前記混合物内に前記熱風炉から供給される熱風を通して、前記混合物中のヒートキャリアとの直接接触によりヒートキャリアを加熱し、
前記熱風炉では、前記予熱器から供給される前記混合物中のチャーを燃焼させ、この燃焼により生成する熱風を前記予熱器に供給する、
ことを特徴とする木質バイオマスのガス化方法。
【００２２】
（作用効果）
請求項１記載の発明と同様の作用効果が奏せられる。
【発明の効果】
【００２３】
以上のとおり、本発明によれば、ヒートキャリアの加熱効率を維持でき、もって生成ガスの品質が安定するようになる、等の利点がもたらされる。
【図面の簡単な説明】
【００２４】
【図１】ガス化システムのフロー図である。
【図２】予熱器の縦断面図である。
【図３】図１のＡ−Ａ断面図及びＢ−Ｂ断面図である。
【図４】改質器の縦断面図である。
【図５】図４のＣ−Ｃ断面図及びＤ−Ｄ断面図である。
【図６】熱分解器の縦断面図である。
【図７】図６のＥ−Ｅ断面図である。
【図８】傘状スクリーンの概略図である。
【図９】予熱器の縦断面図である。
【図１０】図９のＦ−Ｆ断面図である。
【図１１】予熱器の破断斜視図である。
【発明を実施するための形態】
【００２５】
以下、本発明の一実施形態について添付図面を参照しながら詳説する。
本発明に係るガス化システムは、例えば図１に示される機器構成で実施することができる。すなわち、図１に示されるガス化システムは、上から順に、予熱器２、熱風炉１、改質器３、熱分解器４、を直列に備えており、熱を運ぶための多数のヒートキャリア（熱担持媒体）が、予熱器２及び熱風炉１で加熱されてから改質器３、熱分解器４の順に通された後、バケットコンベア等の移送装置６により再び予熱器２に戻されるように構成されているものである。
【００２６】
ヒートキャリアとしては、粒径５〜２０ｍｍ程度、好ましくは粒径８〜１２ｍｍ程度の粒状物を用いることができ、特に球状のものが好適である。また、ヒートキャリアの素材としては、アルミナ等のように硬質で熱容量の大きなものが好適である。なお、粒径とは、ＪＩＳ  Ｚ  ８８０１−１「試験用ふるい−第 １ 部：金属製網ふるい」に規定されるふるいを用い、ＪＩＳ  Ａ  １１０２ 「骨材のふるい分け試験方法」に準じて測定される、ふるい分け法による粒径（ふるいの目開き）を意味する（以下同じ）。
【００２７】
木質バイオマス原料は原料ホッパ１７に貯留されており、スクリューコンベア１４やロータリーフィーダ等の適宜の定量供給装置により切り出され、例えば改質器３と熱分解器４とを繋ぐ供給管路３ｘを介して、熱分解器４の上部供給口へ連続的に定量供給される。この供給管路３ｘにはバルブ３ｂが設けられており、ヒートキャリア等の固形分の通過を停止させる等の制御が可能になっている。
【００２８】
木質バイオマス原料としては、特に限定されないが、間伐材や剪定枝を、φ１〜５０ｍｍ程度、Ｌ＝１〜１５０ｍｍ程度、特にヒートキャリアの粒径の１．６倍以下程度の粒径に破砕、切削、ペレット化したものを好適に用いることができる。
【００２９】
熱分解器４内に供給された木質バイオマスは、予熱器２、熱風炉１及び改質器３を経て供給された、加熱されたヒートキャリアと混合状態で接触することにより、吸熱反応を起こし、チャー（固体の炭素含有残留物）と熱分解ガス（揮発性相）とに分離される。熱分解器４内の温度は適宜定めることができるが、５５０〜６５０℃程度にするのが好ましい。熱分解生成物のうち、固形分であるチャーは、ヒートキャリアとともに供給管路４ｘを介して移送装置６へ供給され、気体である熱分解ガスはヒートキャリアに対して向流接触しながら改質器３へ上昇供給される。この供給管路４ｘにはバルブ４ｂ及びダンパ４ｄが設けられており、前者によりヒートキャリア等の固形分の通過を停止させる等の制御が可能になっており、後者により気体分の通過を停止させる等の制御が可能になっている。
【００３０】
改質器３に対しては反応媒体としての水蒸気が供給されており、熱分解ガスがヒートキャリアにより加熱されつつ水蒸気と混合接触することにより、次式の改質反応が起こり、水素含有濃度が高く、従って発熱量の高いガスが発生する。改質器３内の温度は適宜定めることができるが、改質を十分かつ確実に行うために９５０℃以上とするのが好ましい。
ＣnＨm  ＋  ｎＨ2Ｏ  →  ｎＣＯ  ＋  （ｍ／２＋ｎ）Ｈ2    …（１）
【００３１】
水蒸気は適宜の方法で供給することができるが、図示例では、貯水タンク１９の水を給水ポンプ１９ｐにより汲みだし、廃熱ボイラ（間接接触式熱交換器）７において、改質器３から別途供給される生成ガスの熱を利用して蒸気とした後、熱分解器４の下部から、改質器３における改質反応に利用する水蒸気を供給するようにしている。また、熱分解器４への水蒸気供給とともに又はこれに代えて、図示するように改質器３に対して直接的に供給することもできる。
【００３２】
一方、熱分解器４から排出されるチャーとヒートキャリアとの混合物は、混合状態のまま移送装置６により予熱器２に戻される。移送装置６から予熱器２への供給管路６ｘにはバルブ６ｂ及びダンパ６ｄが設けられており、前者によりヒートキャリア等の固形分の通過を停止させる等の制御が可能になっており、後者により気体分の通過を停止させる等の制御が可能になっている。
【００３３】
予熱器２に供給されたヒートキャリアとチャーとの混合物は、予熱器２内を堆積状態で下降通過した後に熱風炉１に供給されるとともに、予熱器２内を通過する過程で混合物内に、熱風炉１から供給される熱風が通され、ヒートキャリアとの直接接触によりヒートキャリアが加熱される。またこの際、混合物中のチャーの燃焼も開始され、より効果的にヒートキャリアの加熱がなされる。
【００３４】
熱風炉１はバーナーを備えており、このバーナーを介して炉内に空気が供給されることにより混合物中のチャーが燃焼し、熱風（高温排ガス）が生成される。熱風炉１で生成された熱風は、予熱器２に供給されてヒートキャリアの加熱に利用されるだけでなく、熱風炉１内においてもヒートキャリアの加熱作用を発揮する。よって、より効果的にヒートキャリアの加熱がなされる。特に、熱風炉１で生成された熱風は、予熱器２から熱風炉１へのヒートキャリア供給路を介してヒートキャリアに対して向流的に予熱器２へ供給すると、加熱効率が顕著に向上する。しかし、熱風炉１で生成された熱風を、予熱器２から熱風炉１へのヒートキャリア供給路を介さずに熱風炉１から外部に取り出して予熱器２に供給しても良い。
【００３５】
予熱器２及び熱風炉１で加熱されたヒートキャリアは、供給管路１ｘを介して改質器３に供給される。この供給管路１ｘにはバルブ１ｂ及びダンパ１ｄが設けられており、前者によりヒートキャリア等の固形分の通過を停止させる等の制御が可能になっており、後者により気体分の通過を停止させる等の制御が可能になっている。
【００３６】
熱風炉の運転においては、ＬＰＧ等の気体補助燃料やＢＤＦ等の液体燃料を、連続的に又は運転開始時等の必要時にバーナーに供給し、燃焼させることができる。また、予熱器２及び熱風炉１でチャーの燃焼により生成される灰のうち、ヒートキャリアに混じって移動するもの及びヒートキャリアの通過経路（図１に示す例では、予熱器２、熱風炉１、改質器３、熱分解器４、移送装置６、及びこれらをつなぐ管路の少なくとも一つ）に堆積するものは、適宜の灰・ダスト抜出手段により、ヒートキャリアの通過経路の少なくとも一箇所（図１に示す例では予熱器２、熱風炉１、及び改質器３）から排出される。
【００３７】
予熱器２でヒートキャリアの加熱利用された熱風は、誘引送風機１５により予熱器２から排気され、サイクロン等の分離手段８を介して排気に混入する灰・ダストを取り除かれた後、好適には空気加熱器（（間接接触式熱交換器））９において熱風炉１へ供給する空気の加熱に利用した後、大気に放出される。なお、空気加熱器９における予熱に先立って、予熱器（間接接触式の熱交換器）９ｉを利用して水蒸気（前述の方法により製造し、供給できる）と熱交換し、予熱しておくとより好ましい。
【００３８】
改質器３で生成された水素高含有の生成ガスは、図示例では、誘引送風機１１により改質器３からガス処理・利用設備に送出され、廃熱ボイラ７で２５０℃程度まで冷却され、続いて湿式スクラバー１０に供給されてダストが除去されるとともに４０℃程度まで冷却された後、ガスホルダ１２に貯留されるようになっている。なお、図示例の湿式スクラバー１０は、上部から散水した洗浄水を下部から排出し、冷却器（間接接触式の熱交換器）１０ｃで冷却した後、再度上部から散水するものであり、符号１０ｐは洗浄水循環ポンプを示しており、符号１０ｄは冷却器に対する冷却水の循環を行う冷却水循環ポンプを示しており、符号１０ｔは冷却水を水により冷却する冷却塔を示しており、符号１８は洗浄水を排水処理する排水処理装置を示している。
【００３９】
生成されるガスの利用形態は特に限定されるものではないが、図示するように、ガスエンジン発電機１３を用いて電力に変換するのも一つの好ましい形態である。この場合、供給ガスがガスエンジンのミキサー（燃料供給装置）で冷却することにより、ナフタレンの析出や結露を生じ、燃料供給系の閉塞等の不具合を発生させるおそれがある。よって、湿式スクラバー１０からガスホルダ１２の間等、適宜のガス供給経路に間接接触式熱交換器１２ｘを設け、クーラ１２ｃにより循環供給される冷媒との熱交換によりガスを気温より低く、例えば気温より１０℃程度低い温度まで冷却し、生成ガス中のナフタレン及び水分を析出又は結露させ、除去するのが好ましい。また、生成ガスの一部を、熱風炉１の補助燃料として使用するのも好ましい形態である。
【００４０】
（予熱器及び熱風炉）
図２及び図３は、予熱器２及び熱風炉１の好適な例を示している。予熱器２及び熱風炉１は別体として両者を管路で接続しても良いが、管路での放熱により加熱効率が低下するという欠点がある。よって、図２及び図３に示されるように、予熱器２が上部となり熱風炉１が下部となるように予熱器２と熱風炉１とを一体化するとともに、予熱器２内から熱風炉１内まで上下方向に沿って延在するヒートキャリア通路を設け、熱風炉１内のヒートキャリア通路に臨むようにバーナーを設け、熱風炉２で生成する熱風を、熱風炉１内からヒートキャリア通路を介して予熱器２に供給するのは好ましい形態である。
【００４１】
より詳細には、予熱器２は、上下方向に沿う円筒状の上側ヒートキャリア通路２０と、この上側ヒートキャリア通路２０の下方に連続する漏斗状（逆さ裁頭円錐台状。下側に向かうにつれて径が小さくなる形状であればよい。）の下側ヒートキャリア通路２１とを有し、上側ヒートキャリア通路２０上面の中央部に供給口２０ｉ、下側ヒートキャリア通路２１下端に熱風供給兼ヒートキャリア排出口２１ｘ、上側ヒートキャリア通路２０の側面に燃焼用空気供給口２０ａ、及び下側ヒートキャリア通路２１の側方に排気口２１ｇをそれぞれ有しているものである。
【００４２】
図示例の予熱器２では、下側ヒートキャリア通路２１は、パンチングメタル等のように多数の透過孔２１ｎが全面に形成された漏斗状部材２２により形成されており、この漏斗状部材２２の外側を取り囲むように環状スペース２３が形成され、この環状スペース２３の側面に外部への排気口２１ｇ及び灰・ダストの抜出口２５が連通されている。漏斗状部材２２の透過孔２２ｎが灰・ダスト取り込み口となり、環状スペース２３が灰・ダスト取り込み口２２ｎの全てに連通する灰・ダスト落としスペースとなる。
【００４３】
また、熱風炉１は、予熱器２の排出口２１ｘから下方に連続する逆さ漏斗状（裁頭円錐台状。下側に向かうにつれて径が大きくなる形状であればよい。）の上側ヒートキャリア通路６０と、この上側ヒートキャリア通路６０の下方に連続する漏斗状（逆さ裁頭円錐台状。下側に向かうにつれて径が小さくなる形状であればよい。）の下側ヒートキャリア通路６１とを有し、下側ヒートキャリア通路２１下端に排出口６１ｘ、下側ヒートキャリア通路６１の側方にバーナーをそれぞれ有しているものである。
【００４４】
図示例の熱風炉１では、予熱器２と同様に、下側ヒートキャリア通路６１はパンチングメタル等のように多数の透過孔６１ｎが全面に形成された漏斗状部材６２により形成されており、この漏斗状部材６２の外側を取り囲むように環状スペース６３が形成され、この環状スペース６３の側面にバーナー６４及び灰・ダストの抜出口６５が連通されている。漏斗状部材６２の透過孔６２ｎは灰・ダスト取り込み口となり、環状スペース６３は灰・ダスト取り込み口６２ｎの全てに連通する灰・ダスト落としスペースとなる。
【００４５】
予熱器２及び熱風炉１における漏斗状部材２２，６２はニッケル合金等の耐熱金属又はアルミナセラミックス等の耐熱セラミックスにより、また、上側ヒートキャリア通路２０，６０及び環状スペース２３，６３の周壁はアルミナセラミックス等の耐熱セラミクス材により形成することができ、予熱器２及び熱風炉１の外面は鉄皮により形成することができる。
【００４６】
予熱器２及び熱風炉１における漏斗状部材２２，６２の透過孔２２ｎ，６２ｎの寸法は、灰・ダストは通過するが、少なくともヒートキャリア（好ましくはヒートキャリア及びチャーの両方）は通過しないように設定されるとともに、灰・ダスト落としスペース２３，６３から外部に連通する灰・ダストの抜出口２５，６５が形成されている。漏斗状部材２２，６２の透過孔２２ｎ，６２ｎの形状は、図示例のような円状の他、楕円状、三角形状等、適宜の形状とすることができる。透過孔２２ｎ，６２ｎの寸法は、ヒートキャリア又はチャーの寸法に応じて適宜定めることができ、例えば、透過孔２２ｎ，６２ｎの直径（円孔の場合は直径を意味し、その他の形状（楕円孔等）の場合は短径（直径のうち最も短いものを意味する）が、ヒートキャリア又はチャーの粒径未満、特に７０％以下とすることができる。また、灰・ダストの抜出口２５，６５の下端は灰・ダスト落としスペース２３，６３の下端に合わせるのが好ましい。さらに、抜出口２５は灰・ダスト落としスペース２３，６３の側面から水平方向に沿って延在しているのが好ましい。
【００４７】
予熱器２及び熱風炉１では、ヒートキャリア通路２０，２１，６０，６１において、ヒートキャリア及びチャーの混合物がある程度の堆積状態を維持しながら下降する過程で下側に向かうほどチャーの燃焼が活発で温度が高くなるとともに、その燃焼で発生する熱風が、混合物内を通じて混合物の下降流に対して向流的に移動しつつ、混合物を直接接触熱交換により加熱する。このように、ヒートキャリア群の内部から熱風が供給され、熱風炉１からの新鮮な熱風がより多くのヒートキャリアに対して直接又はそれに近い状態で接触されるため、ヒートキャリアの加熱効率に優れるようになる。また、図示例の場合、熱風が加熱対象の温度勾配に対して向流的に接触されるため、より一層、加熱効率に優れるようになる。
【００４８】
一方、経時的に予熱器２及び熱風炉１内における灰・ダスト落としスペース２３，６３には灰・ダストが堆積するが、このような灰・ダストは抜出口２５，６５を介して除去することができる。抜出口２５，６５からの灰・ダストの取り出しは、灰掻き等の機械的手段により行ってもよいが、作業が煩雑となるため、図示例のように、灰・ダスト落としスペース２３，６３に連通する圧縮空気吹き込み口２６，６６を設け、ここから圧縮空気吹き込み、灰・ダストを圧縮空気に乗せて抜出口２５，６５から排出するように構成すると、炉内温度に関係なく灰・ダストの抜出を実行でき、また自動的に定期実行することもできるため好ましい。吹き込み口２６，６６の数、位置及び吹き込み方向は適宜定めることができるが、図示例のように、環状の灰・ダスト落としスペース２３，６３における抜出口２５に対して反対側の位置の側面に設けるのが好ましい。特に、吹き込み口２６を周方向に複数（図示例では２つ）並設し、図中に矢印で示すように、一方の吹き込み口２６，６６からの圧縮空気を環状の灰・ダスト落としスペース２３，６３の一方側から、また、他方の吹き込み口２６，６６からの圧縮空気を環状の灰・ダスト落としスペース２３，６３の他方側から、それぞれ抜出口２５，６５に向けて回りこませるようにすると、灰・ダスト落としスペース２３，６３内の灰・ダストを円滑に抜出口２５，６５へ送り出すことができるため好ましい。予熱器２及び熱風炉１における圧縮空気による灰の排出はガス化運転を行っていないときに実施する他、ガス化運転中にも実施できる。圧縮空気による灰の排出を行う場合は、予熱器２及び熱風炉１内温度を低下させないために、供給する圧縮空気を、例えば熱風炉１への供給空気と同様の廃熱との熱交換等、適宜の加熱手段により予め改質器３内温度又は近傍まで加熱してから供給することができる。
【００４９】
（改質器）
チャーの燃焼により発生する灰はヒートキャリアに伴って予熱器２、改質器３、熱分解器４の順に移動する過程で、改質器３内や改質器３と熱分解器４との間の経路（例えば、バルブ等）にも蓄積し、ヒートキャリアの循環阻害や、改質器３と熱分解器４との間の経路の閉塞による熱分解器４内圧の異常上昇等の問題を発生させる。この問題は、前述の予熱器２及び熱風炉１における灰の除去によって軽減されるが、さらに改質器３においても灰除去手段を設けると、より好ましい。
【００５０】
図４及び図５は、予熱器２と同様の灰除去手段を有する改質器３の一例を示している。すなわち、この改質器３は、上下方向に沿う円筒状の上側ヒートキャリア通路３０と、この上側ヒートキャリア通路３０の下方に連続する漏斗状（逆さ裁頭円錐台状。下側に向かうにつれて径が小さくなる形状であればよい。）の下側ヒートキャリア通路３１とを有し、上側ヒートキャリア通路３０上面の中央部に供給口３０ｉ、下側ヒートキャリア通路３１下端にガス導入兼ヒートキャリア排出口３１ｘ、上側ヒートキャリア通路３０の側面に改質ガス排出口３０ｘ、及び下側ヒートキャリア通路３１下端部に連通する水蒸気注入口３７をそれぞれ有しているものである。
【００５１】
改質器３では、予熱器２で十分に加熱されたヒートキャリアが上部供給口３０ｉから供給され、ある程度の堆積状態を維持しながら上側及び下側ヒートキャリア通路３０，３１を下降しつつ、改質器３内を改質反応温度に維持する。この温度条件下で、改質器３内に導入される熱分解ガス及び水蒸気が前述の改質反応を起こし、水素高含有の改質ガスが生成し、改質ガス排出口３０ｘを介してガス処理・利用設備へ供給される。
【００５２】
特徴的には、図示例の改質器３では、下側ヒートキャリア通路３１は、パンチングメタル等のように多数の透過孔３２ｎが全面に形成された漏斗状部材３２により形成されている。漏斗状部材３２の透過孔３２ｎの寸法は、灰・ダストは通過するが、少なくともヒートキャリアは通過しないように設定されるとともに、漏斗状部材３２の外側を取り囲むように環状スペース３３が形成され、この環状スペース３３の側面から外部に連通する灰・ダストの抜出口３５が形成されている。漏斗状部材３２の透過孔３２ｎは灰・ダスト取り込み口となり、環状スペース３３が灰・ダスト取り込み口３２ｎの全てに連通する灰・ダスト落としスペースとなる。このような灰・ダスト取り込み口３２ｎ、灰・ダスト落としスペース３３、及び抜出口３５を有することにより、予熱器２で除去仕切れない灰を、改質器３で除去することができ、改質器３内や改質器３と熱分解器４との間の経路における灰の蓄積を効果的に防止できる。
【００５３】
漏斗状部材３２はニッケル合金等の耐熱金属又はアルミナセラミックス等の耐熱セラミックスにより、また、上側ヒートキャリア通路３０及び環状スペース３３の周壁はアルミナセラミックス等の耐熱セラミクス材により形成することができ、改質器３の外面は鉄皮により形成することができる。
【００５４】
漏斗状部材３２の透過孔３２ｎの形状や寸法等、灰・ダストの抜出口３５の位置や向き等は、予熱器２及び熱風炉１の場合と同様の改変が可能である。また、予熱器２及び熱風炉１の場合と同様に、抜出口３５からの灰・ダストの取り出しを容易にするために、灰・ダスト落としスペース３３に連通する圧縮空気吹き込み口３６を設け、灰・ダスト落としスペース３３に圧縮空気を吹き込んで抜出口３５から排出するように構成することもできる。改質器３における圧縮空気による灰の排出はガス化運転を行っていないときに実施する。灰の排出を行う場合に、改質器３内温度を低下させないために、供給する圧縮空気を、例えば熱風炉１への供給空気と同様の廃熱との熱交換等、適宜の加熱手段により予め改質器３内温度又は近傍まで加熱してから供給することができる。圧縮空気吹き込み口３６の位置や向き等は、予熱器２及び熱風炉１の場合と同様の改変が可能である。図示例では、予熱器２及び熱風炉１と同様の吹き込み口配置に対してさらに両側の吹き込み口３６間の中央に吹き込み口３６を追加している。
【００５５】
（熱分解器）
熱分解後のチャーの寸法がヒートキャリアより十分に小さければ、チャーはヒートキャリアに伴って円滑に移送することができる。しかし、現実には、木質バイオマス原料の粒径を破砕等により揃えるとしても限界があり、ヒートキャリアより大きなチャーの発生を避けえず、この大きな塊状のチャーが、ヒートキャリアの通過経路における狭い個所、例えばバルブ４ｂ，６ｂやダンパ４ｄ，６ｄ等に詰まり、システムを停止しなければならない事態が発生することがある。
【００５６】
そこで、図６及び図７に示すように、熱分解器４におけるヒートキャリアの排出口４１ｘは、ヒートキャリアと等しい粒径を有する第１固形物、並びに第１固形物より粒径が小さい第２固形物は通すが、第１固形物より粒径が大きい第３固形物は通さないスクリーン４２で覆うのも好ましい形態である。より詳細には、図示例の熱分解器４は、上下方向に沿う円筒状の上側通路４０と、この上側通路４０の下方に連続する漏斗状（逆さ裁頭円錐台状。下側に向かうにつれて径が小さくなる形状であればよい。）の下側通路４１とを有し、上側通路４０上面の中央部に供給口４０ｉ、下側通路４１下端に、スクリーン４２で覆われた排出口４１ｘ、下側通路４１の側面に水蒸気吹き込み口４４をそれぞれ有しているものである。
【００５７】
このような排出口スクリーン４２を設けることにより、ヒートキャリアより大きなチャーをスクリーン４２で止めて熱分解器４から排出させず、ヒートキャリア及びヒートキャリアより小さなチャーのみ、スクリーン４２を通過させることができるため、ヒートキャリアの通過経路における狭い個所、例えばバルブ４ｂ，６ｂやダンパ４ｄ，６ｄ等における詰まりを防止できる。しかも、スクリーン４２で止められたヒートキャリアより大きなチャーは、熱及びヒートキャリアの移動による外力を受けて砕けていくため、最終的にはヒートキャリア以下の寸法となってスクリーン４２を通過するため、熱分解器４の排出口が閉塞することもない。
【００５８】
排出口スクリーン４２の形状等は適宜定めることができ、平坦なパンチングメタルであっても良いが、図８（ａ）に示すように、排出口４１ｘ側に向かうにつれて直径が拡大する傘状（図示例では円錐状となっているが角錐状、ドーム状等にすることもできる）体の側面に、排出口４１ｘ側に向かうにつれて開口幅が拡大する通過孔４２ｎ（図示例では二等辺三角形状となっているが滴状等の適宜の形状とすることもできる）を周方向に所定の間隔で設けたものが好適である。このような傘状スクリーン４２においては、熱分解器４内を下降する固形物がスクリーン４２の側面の通過孔４２ｎにスムーズに移動することができる。また、このスクリーン４２の側面の通過孔４２ｎは、排出口側に向かうにつれて開口幅が拡大する形状となっているため、スクリーン４２側面に沿って接触しながら下降する固形物は、通過孔４２ｎに引っ掛かり難く、円滑な分離が可能となる。
【００５９】
この他にも、例えば図８（ｂ）に示すように、通過孔を有しない上面と、上下方向に沿って所定幅で延在する通過孔４２ｎが周方向に間隔を空けて形成された周面と、排出口４１ｘに連通する開口底面とを備えた円筒状のスクリーン４２を用いることもできる。
【００６０】
＜その他＞
上記例では、予熱器２と改質器３との間に熱風炉１を介在させているが、これに代えて、図示しないが、予熱器と熱分解器との間、特に予熱器と移送装置との間に熱風炉を介在させることもできる。この場合、熱風炉では、移送装置から供給される混合物中のチャーを燃焼させ、この燃焼により生成する熱風を予熱器に供給するとともに、混合物中のヒートキャリアを加熱しつつ予熱器に供給する。また、予熱器では、熱風炉から供給されるヒートキャリアを堆積状態で通過させるとともに、その通過過程でヒートキャリア間に熱風炉から供給される熱風を通して、前記ヒートキャリアとの直接接触によりヒートキャリアを加熱する。
【産業上の利用可能性】
【００６１】
本発明は、木質バイオマスのガス化に利用できるものである。
【符号の説明】
【００６２】
１…熱風炉、２…予熱器、３…改質器、４…熱分解器、６…移送装置。
【図１】
2011144330.tif 000003
【図２】
2011144330.tif 000004
【図３】
2011144330.tif 000005
【図４】
2011144330.tif 000006
【図５】
2011144330.tif 000007
【図６】
2011144330.tif 000008
【図７】
2011144330.tif 000009
【図８】
2011144330.tif 000010
【図９】
2011144330.tif 000011
【図１０】
2011144330.tif 000012
【図１１】
2011144330.tif 000013